(57)【要約】【課題】屋外設置の筐体の換気用開口部における防水、防塵性能向上が図れるギャラリを提供する。【解決手段】筐体内部に外気を取り込むための外気取り込み用開口部に設けられ、複数のルーバ片からなり、各ルーバ片は外気側が下に下がるように傾斜して配置固定されたルーバを備えたギャラリ本体枠と、前記ギャラリ本体枠に取り外し機構を介して取り付けられ、水切フィルタ及び防塵フィルタを装着するためのフィルタ装着部を備えたフィルタカセットと、前記フィルタカセットのフィルタ装着部であって前記ルーバに近接する側に装着された水切フィルタ及びこの水切フィルタと前記筐体内部との間のフィルタ装着部に装着された防塵フィルタとを具備したギャラリ。【選択図】      図１
2008084981.tif 000002
【特許請求の範囲】
【請求項１】
屋外に設置される筐体の内部に外気を取り込むための外気取り込み用開口部及び又は前記筐体内部の空気を前記筐体外部に排出するための内部空気排出用開口部を備え、前記開口部に設けられ、複数のルーバ片からなり、各ルーバ片は外気側が下に下がるように傾斜して配置固定されたルーバを備えたギャラリ本体枠と、
前記ギャラリ本体枠に取り外し機構を介して取り付けられ、水切フィルタ及び防塵フィルタを装着するためのフィルタ装着部を備えたフィルタカセットと、
前記フィルタカセットのフィルタ装着部であって前記ルーバに近接する側に装着された水切フィルタ及びこの水切フィルタと前記筐体内部との間のフィルタ装着部に装着された防塵フィルタと、
を具備したギャラリ。
【請求項２】
前記取り外し機構は、前記フィルタカセットの少なくとも上下位置にカセット側取付け部をそれぞれ形成し、前記ギャラリ本体枠であって前記カセット側取付け部に対応する位置に本体枠側取付け部をそれぞれ形成し、前記カセット側取付け部と前記本体枠側取付け部とを貫通し回転自在に設けた螺子体と、前記に螺合されるナットで構成したことを特徴とする請求項１に記載のギャラリ。
【請求項３】
前記フィルタカセットの前記水切フィルタ下端面と対向する底面に水抜き路を形成し、前記ギャラリ本体枠において前記水抜き路に対向する底面に、前記ルーバ側低くなるような傾斜面を有する排水経路を形成したことを特徴とする請求項１に記載のギャラリ。
【請求項４】
前記筐体内に強制換気手段を備えたことを特徴とする請求項１に記載のギャラリ。
【発明の詳細な説明】
【技術分野】
【０００１】
本発明は、屋外に設置される筐体(風洞)であって、筐体内部に例えば受配電機器が収納される筐体の換気用開口部(換気口)に装着される防水防塵型のギャラリに関する。
【背景技術】
【０００２】
従来、屋外設置の配電盤における換気用開口部での防水構造として、以下に述べる特許文献１、２に示すものがある。特許文献１には、筐体内に水が浸入しないように板金加工により形成したもの、具体的には外側ガラリ(外側ルーバ)に内側ガラリ(内側ルーバ)と防塵フィルタ収納部を仮装着してキャビネットに開口した換気孔に外側から取り付けるものが記載されている。特許文献１は、ガラリが内側および外側にあることから流路が複雑になり圧力損失が高くなる。また、ルーバの形状から穴あけ面積に対して得られる開口面積が狭い。さらに、フィルタ交換の際にはギャラリを一度取り外さなければならず工具などを必要とし、時間がかかる等作業性が問題であった。
【０００３】
特許文献２には、ガラリと呼ばれる外側に向かって先下がりに傾斜する複数の板で横長の開口を持ち、吸気用の場合にはフィルタをガラリの後面に配し、吸気用とは逆の面に排気用のギャラリ(フィルタ無)を配す方法により盤内の風を循環させ冷却に用いる点が記載されている。特許文献２は、強制風冷方式に適用できるが、防塵対策については何等考慮されていない。この防塵対策のために、フィルタをルーバの後段側にフイルタを配設することは考えられるが、このようにすることで風速が変化するので、空冷による冷却性能が低下する。
【特許文献１】特開２００３−６４９６２
【特許文献２】特開２０００−２９５７１
【発明の開示】
【発明が解決しようとする課題】
【０００４】
本発明は、以上のような問題点を改善するためになされたもので、防水、防塵性能向上が図れ、しかもフィルタ交換作業が簡単に行えるギャラリを提供することを目的とする。
【課題を解決するための手段】
【０００５】
本発明は、前記目的を達成するため、請求項１に対応する発明は、屋外に設置される筐体の内部に外気を取り込むための外気取り込み用開口部及び又は前記筐体内部の空気を前記筐体外部に排出するための内部空気排出用開口部を備え、前記開口部に設けられ、複数のルーバ片からなり、各ルーバ片は外気側が下に下がるように傾斜して配置固定されたルーバを備えたギャラリ本体枠と、
前記ギャラリ本体枠に取り外し機構を介して取り付けられ、水切フィルタ及び防塵フィルタを装着するためのフィルタ装着部を備えたフィルタカセットと、
前記フィルタカセットのフィルタ装着部であって前記ルーバに近接する側に装着された水切フィルタ及びこの水切フィルタと前記筐体内部との間のフィルタ装着部に装着された防塵フィルタと、
を具備したギャラリである。
【０００６】
本発明は、前記目的を達成するため、請求項２に対応する発明は、次のようにしたものである。すなわち、前記取り外し機構は、前記フィルタカセットの少なくとも上下位置にカセット側取付け部をそれぞれ形成し、前記ギャラリ本体枠であって前記カセット側取付け部に対応する位置に本体枠側取付け部をそれぞれ形成し、前記カセット側取付け部と前記本体枠側取付け部とを貫通し回転自在に設けた螺子体と、前記に螺合されるナットで構成したことを特徴とする請求項１に記載のギャラリである。
【０００７】
本発明は、前記目的を達成するため、請求項３に対応する発明は、次のようにしたものである。すなわち、前記フィルタカセットの前記水切フィルタ下端面と対向する底面に水抜き路を形成し、前記ギャラリ本体枠において前記水抜き路に対向する底面に、前記ルーバ側低くなるような傾斜面を有する排水経路を形成したことを特徴とする請求項１に記載のギャラリである。
【０００８】
本発明は、前記目的を達成するため、請求項４に対応する発明は、次のようにしたものである。すなわち、前記筐体内に強制換気手段を備えたことを特徴とする請求項１に記載のギャラリである。
【発明の効果】
【０００９】
本発明によれば、防水、防塵性能向上が図れ、しかもフィルタ交換作業が簡単に行えるギャラリを提供できる。
【発明を実施するための最良の形態】
【００１０】
以下本発明の実施形態について、図面を参照して説明するが、その前に本発明の概要について、図１〜図２を参照して説明する。ここで、本発明のギャラリの一例である、受配電盤は、吸気盤例えば監視盤１０及び制御保護盤２０と、風洞盤例えば４個の電力変換器盤３０及び連系変圧器盤４０と、排気盤例えば補機盤５０を順次所定方向に一直線上に並置し、各盤間連通させ、吸気盤を構成する筐体例えば制御保護盤２０の筐体２１内には、筐体２１の側面に形成されている外気取り込み用開口部(吸気用開口部)１２１、１２２から所定距離だけ離隔して吸気用ファン２２を内蔵させ、また排気盤例えば補機盤５０を構成する筐体５１内には、筐体５１の側面に形成されている排気用開口部５２から所定距離だけ離隔して排気用ファン５３を内蔵させ、吸気用ファン２２により取り込まれた吸気盤内の風を風洞盤に送り込み、最後に排気盤において排気用ファン５３により外部に放出させる強制風冷の横断冷却方式である。
【００１１】
監視盤１０は、監視盤用筐体１１の側壁であって、左側壁背面側及び背面側にそれぞれ外気取り込み用開口部(吸気用開口部)１２１、１２２が形成され、負荷例えばナトリウムイオウ電池等の充電及び放電が可能な電池に電力を供給可能な構成で全体の機器の監視を行なうためのものである。
【００１２】
制御保護盤２０は、制御保護盤用筐体２１内の背面側の空間である室に例えば４台の吸気用ファン２２がそれぞれ上下方向に収納されると共に、盤全体の機器の制御を行う保護機器を収納したものである。この保護機器には、後述する冷却風が直接当らないようにすべき制御基板(図示せず)が含まれている。
【００１３】
電力変換器盤３０は、例えば４台で構成され、その各々は変換器盤用筐体３１内に電力供給源例えば電力系統からの交流電力を直流電力に変換した電力を前記負荷に供給する電力変換器を収納したものである。
【００１４】
連系変圧器盤４０は、連系変圧器盤用筐体４１内に電力供給源例えば電力系統からの交流電圧を降圧する連系変圧器４２が収納されている。
【００１５】
補機盤５０は、補機盤用筐体５１の側壁に内部空気排出用開口部(排気用開口部)５２が形成され、補機盤用筐体５１内であって排気用開口部から所定距離だけ離隔して排気用ファン(図示せず)が収納設置され、かつ前記電力系統からの交流電力を取り込み可能な構成となっている。
【００１６】
そして、監視盤１０と、制御保護盤２０と、電力変換器盤３０と、連系変圧器盤４０と、補機盤５０を順次所定方向に一直線状に並置した列盤構成とすると共に、各盤相互間を連通し、吸気用ファン２２により外気取り込み用開口部１２１、１２２を介して前記列盤内に外気を吸入し、排気用ファン(図示せず)により内部空気排出用開口部５２を介して列盤外部に排出することで、制御保護盤用筐体２１の内部に発生する冷却風により、前記電力変換器及び前記連系変圧器を冷却するようにした受配電盤である。
【００１７】
次に、図３〜図７を参照して本発明のギャラリの実施形態について、図面を参照して説明する。本発明のギャラリは、屋外に設置される例えば前述の監視盤１０の筐体１１の内部に外気を取り込むための外気取り込み用開口部１２１、１２２及び又は前述の補機盤５０の筐体５１の内部の空気を筐体５１の外部に排出するための内部空気排出用開口部５２を備え、開口部１２１、１２２、５２に設けられ、ルーバ０２を備えたギャラリ本体枠０１と、ギャラリ本体枠０１に取り外し機構０６(詳細については後述する)を介して取り付けられ、水切フィルタ０３及び防塵フィルタ０４を装着するためのフィルタ装着部０５２、０５３(詳細については後述する)を備えたフィルタカセット０５と、フィルタカセット０５のフィルタ装着部０５２であってルーバ０２に近接する側に装着された水切フィルタ０３及びこの水切フィルタ０３と筐体１１の内部との間のフィルタ装着部０５３に装着された防塵フィルタ０４とを具備している。
【００１８】
前述の取り外し機構０６は、その一例としてフィルタカセット０５を構成する背面枠０５０の例えば左右上位置であって７箇所にカセット側取付け部をそれぞれ形成し、ギャラリ本体枠０１であってカセット側取付け部に対応する位置に本体枠側取付け部をそれぞれ形成し、カセット側取付け部とギャラリ本体枠０１側取付け部とを貫通する螺子体例えばロ−レットネジ０６１と、ロ−レットネジ０６１に設けられ、ロ−レットネジ０６１の抜け止めをしてロ−レットネジ０６１を回転自在に支持する抜け止めワッシャ０６２と、パッキン０６３と、本体枠０１の所望の位置にそれぞれスポット溶接止めされた止め金具フランジ０６４と、止め金具フランジ０６４に溶接されロ−レットネジ０６１が螺合可能な溶接ナット０６５で構成したものである。
【００１９】
ルーバ０２は、断面略「て」字状の複数のルーバ片０２１と、この各ルーバ片０２１をギャラリ本体枠０１に所定角度(筐体の内側から外側に向かって下がっていく傾斜角度)で固定するための各ルーバ片０２１に溶接等で固定された複数のルーバ片固定具０２２とから構成されている。
【００２０】
なお、フィルタカセット０５の背面枠０５０には、取手部０５１が形成され、取手部０５１は図７に示すようにフィルタカセット０５をギャラリ本体枠０１から分離する際に、その作業者が持つためのものである。
【００２１】
また、前述したフィルタカセット０５において、水切フィルタ０３の下端面と対向する底面０５４に水抜き路例えば断面矩形状の水抜き孔０５５を形成し、ギャラリ本体枠０１において水抜き孔０５５に対向する底面０５４に、ルーバ０２側が低くなるような傾斜面を有する排水経路０８を形成したものである。なお、水抜き孔０５５には、この部分から虫等が入らないように、水抜き孔０５５を含むこの周縁に防虫網(図示せず)が配設されている。
【００２２】
水切フィルタ０３は、フィルタ本体と、その周囲に配設された網(図示しない)で構成され、この網はフィルタ本体に鋲のようなもので止められている。
【００２３】
以上のように構成されているので、次のような作用効果が得られる。
【００２４】
１) ギャラリ本体枠０１の開口部側に、内側から外側に向かって下がっていく傾斜を持つ横長の複数のルーバ片０２１からなるルーバ０２と、フィルタカセット０５の水切フイルタ装着部０５２に装着された水切フィルタ０３を備えているので、防水構造が得られるばかりでなく、防水機能も向上する。
【００２５】
２) フィルタカセット０５は、取り外し機構０６により、ギャラリ本体枠０１に分離可能に構成されているので、フィルタ交換、清掃において何等工具を使用すること無く、容易にフィルタカセットを引き抜くことが可能な構造が得られる。
【００２６】
３) 水切フィルタ０３の下部である、フィルタカセット０５の底面部０５に水抜き孔０５５を設け、水抜き孔０５５の下部である、ギャラリ本体枠０１の底面部における排水経路０８に前下がりの傾斜をつけることにより、ギャラリ本体枠０１自身が排水機能を有する防水構造が得られる。
【００２７】
４) 水切フィルタ０３及び防塵フィルタ０４の交換はギャラリ後面に配した工具を使うことなく、取り外し機構０６を構成するローレットネジ０６１を緩めてギャラリ本体枠０１から外すことにより、簡便にフィルタカセット０５を外すことができ、特別な工具を使用することなく、フイルタ装着部０５２、０５３の上部側から交換すべき水切フィルタ０３及び防塵フィルタ０４をそれぞれ押し出すだけで外せ、新たに装着する水切フィルタ０３及び防塵フィルタ０４をフイルタ装着部０５２、０５３の上部側から挿入させるだけでよいので使い勝手がよく、この結果水切フィルタ０３及び防塵フィルタ０４の交換が容易に行える。
【００２８】
５)前述した従来の防水構造の問題点である、ギャラリの圧力損失を低くできる。これは、前述した従来のルーバでは、筐体の内側および外側にあることから流路が複雑になり圧力損失が高くなり、また、ルーバの形状から穴あけ面積に対して得られる開口面積が狭い。この結果、従来例では必要風量を得るために多くのギャラリおよび取り付け面積が必要になる。
【００２９】
６)以上述べた実施形態は、前述の実施形態のように筐体内に強制換気手段例えば吸気フアンを備えた受配電盤、又は強制換気手段例えば吸気フアンを備えていない受配電盤にも適用できるので、いかなる用途にも適用できる。
【図面の簡単な説明】
【００３０】
【図１】本発明が適用された受配電盤の斜視図。
【図２】図１の構成を説明するための斜視図。
【図３】本発明のギャラリの実施形態を示す正面図。
【図４】図３のギャラリの側縦断面図。
【図５】図４のＺ部を拡大して示す側縦断面図。
【図６】図４のＡ−Ａ線に沿って切断し矢印方向に見た図。
【図７】本発明のギャラリと、このフイルタカセットを取外した状態を説明するための側縦断面図。
【符号の説明】
【００３１】
０１…ギャラリ本体枠、０２…ルーバ、０３…水切フィルタ、０４…防塵フィルタ、０５…フィルタカセット、０６…取り外し機構、０８…排水経路、１０…監視盤、１１…監視盤用筐体、１１…筐体、２０…制御保護盤、２１…筐体、２１…制御保護盤用筐体、０２１…ルーバ片、２２…吸気用ファン、０２２…ルーバ片固定具、３０…電力変換器盤、３１…変換器盤用筐体、４０…連系変圧器盤、４１…連系変圧器盤用筐体、４２…連系変圧器、５０…補機盤、０５０…背面枠、５１…筐体、５１…補機盤用筐体、０５１…取手部、５２…内部空気排出用開口部、０５２…水切フイルタ装着部、５３…排気用ファン、０５３…防塵フィルタ装着部、０５４…底面、０５５…水抜き孔、０６１…ローレットネジ、０６２…ワッシャ、０６３…パッキン、０６４…金具フランジ、０６５…溶接ナット、１２１、１２２…外気取り込み用開口部。
【図１】
2008084981.tif 000003
【図２】
2008084981.tif 000004
【図３】
2008084981.tif 000005
【図４】
2008084981.tif 000006
【図５】
2008084981.tif 000007
【図６】
2008084981.tif 000008
【図７】
2008084981.tif 000009